(57)【特許請求の範囲】
【請求項１】
ユーザ機器（ＵＥ）デバイスであって、
基地局との無線通信を実行するためのアンテナと、
複数のＵＥ通信シナリオのそれぞれのための複数の通信シナリオ情報のセットを記憶するメモリであって、それぞれの通信シナリオ情報のセットは、それぞれの通信シナリオに関するチャネル品質インジケータを生成するために使用可能である当該メモリと、
プロセッサであって、
前記ＵＥの動作中に前記ＵＥデバイスの現在の通信シナリオを決定し、
前記ＵＥデバイスの前記決定された現在の通信シナリオに基づいて前記複数の通信シナリオ情報のセットから第１の通信シナリオ情報のセットを選択し、
前記ＵＥデバイスに関する最新のチャネル推定を決定し、
前記選択された第１の通信シナリオ情報のセット及び前記最新のチャネル推定に基づいて少なくとも１つのチャネル品質インジケータを生成し、前記最新のチャネル推定は、前記複数のＵＥ通信シナリオのそれぞれのための前記チャネル品質インジケータを生成するために用いられるように構成される当該プロセッサと、
を備え、
前記チャネル品質インジケータを基地局へ伝送するように構成されるＵＥデバイス。
【請求項２】
前記記憶された複数の通信シナリオ情報のセットのそれぞれが、受信機形式、多入力多出力（ＭＩＭＯ）方式、及びドップラーシフトの量のうちの１つ以上に基づく、請求項１に記載のＵＥデバイス。
【請求項３】
前記記憶された複数の通信シナリオ情報のセットのそれぞれが、受信機形式、多入力多出力（ＭＩＭＯ）方式、及びドップラーシフトの量のうちの２つ以上に基づく、請求項１に記載のＵＥデバイス。
【請求項４】
前記記憶された複数の通信シナリオ情報のセットのそれぞれが、受信機形式、多入力多出力（ＭＩＭＯ）方式、及びドップラーシフトの量に基づき、
前記ＵＥデバイスの現在の通信シナリオを決定することが、前記ＵＥの受信機形式、前記基地局によって用いられているＭＩＭＯ方式、及び前記ＵＥによって経験されている前記ドップラーシフトの量を決定することを含む、請求項１に記載のＵＥデバイス。
【請求項５】
前記記憶された複数の通信シナリオ情報のセットのそれぞれが、スペクトル効率を前記チャネル品質インジケータにマッピングするための１つ以上のマッピングテーブルを含む、請求項１に記載のＵＥデバイス。
【請求項６】
前記記憶された複数の通信シナリオ情報のセットのそれぞれが、１）信号対雑音比をスペクトル効率にマッピングするための第１のマッピングテーブル、及び２）スペクトル効率を前記チャネル品質インジケータにマッピングするための第２のマッピングテーブルを少なくとも含む、請求項１に記載のＵＥデバイス。
【請求項７】
無線ユーザ機器（ＵＥ）によって実行される方法であって、
前記ＵＥの動作中に前記ＵＥの現在の通信シナリオを決定するステップと、
前記ＵＥの前記決定された現在の通信シナリオに基づいて第１の通信シナリオ情報のセットを選択するステップであって、前記第１の通信シナリオ情報のセットは、記憶された複数の通信シナリオ情報のセットから選択され、それぞれの通信シナリオ情報のセットは各々のＵＥ通信シナリオに対応する、当該ステップと、
前記ＵＥデバイスに関する最新のチャネル推定を決定するステップと、
前記選択された第１の通信シナリオ情報のセット及び前記最新のチャネル推定に基づいて少なくとも１つのチャネル品質インジケータを生成するステップであって、前記最新のチャネル推定は、前記複数のＵＥ通信シナリオのそれぞれのための前記チャネル品質インジケータを生成するために用いられる当該ステップと、
前記チャネル品質インジケータを基地局へ伝送するステップと、
を含む方法。
【請求項８】
前記記憶された複数の通信シナリオ情報のセットのそれぞれが、受信機形式、多入力多出力（ＭＩＭＯ）方式、及びドップラーシフトの量のうちの１つ以上に基づく、請求項７に記載の方法。
【請求項９】
前記記憶された複数の通信シナリオ情報のセットのそれぞれが、受信機形式、多入力多出力（ＭＩＭＯ）方式、及びドップラーシフトの量のうちの２つ以上に基づく、請求項７に記載の方法。
【請求項１０】
前記記憶された複数の通信シナリオ情報のセットのそれぞれが、受信機形式、多入力多出力（ＭＩＭＯ）方式、及びドップラーシフトの量に基づき、
前記ＵＥデバイスの現在の通信シナリオを決定することが、前記ＵＥの受信機形式、前記基地局によって用いられているＭＩＭＯ方式、及び前記ＵＥによって経験されている前記ドップラーシフトの量を決定することを含む、請求項７に記載の方法。
【請求項１１】
前記記憶された複数の通信シナリオ情報のセットのそれぞれが、スペクトル効率を前記チャネル品質インジケータにマッピングするための１つ以上のマッピングテーブルを含む、請求項７に記載の方法。
【請求項１２】
前記記憶された複数の通信シナリオ情報のセットのそれぞれが、１）信号対雑音比をスペクトル効率にマッピングするための第１のマッピングテーブル、及び２）スペクトル効率を前記チャネル品質インジケータにマッピングするための第２のマッピングテーブルを少なくとも含む、請求項７に記載の方法。
【請求項１３】
プログラム命令を記録したコンピュータ読み取り可能な記録媒体であって、
コンピュータシステムに、
前記ＵＥの動作中に前記ＵＥの現在の通信シナリオを決定する処理と、
前記ＵＥの前記決定された現在の通信シナリオに基づいて第１の通信シナリオ情報のセットを選択する処理であって、前記第１の通信シナリオ情報のセットは、記憶された複数の通信シナリオ情報のセットから選択され、それぞれの通信シナリオ情報のセットは各々のＵＥ通信シナリオに対応する、当該処理と、
前記ＵＥデバイスに関する最新のチャネル推定を決定する処理と、
前記選択された第１の通信シナリオ情報のセット及び前記最新のチャネル推定に基づいて少なくとも１つのチャネル品質インジケータを生成する処理であって、前記最新のチャネル推定は、前記複数のＵＥ通信シナリオのそれぞれのための前記チャネル品質インジケータを生成するために用いられる当該処理と、
を実行させるためのプログラムを記録し、
前記チャネル品質インジケータは、基地局へ伝送されるよう構成されている、コンピュータ読み取り可能な記録媒体。
【請求項１４】
前記記憶された複数の通信シナリオ情報のセットのそれぞれが、受信機形式、多入力多出力（ＭＩＭＯ）方式、及びドップラーシフトの量のうちの１つ以上に基づく、請求項１３に記載のコンピュータ読み取り可能な記録媒体。
【請求項１５】
前記記憶された複数の通信シナリオ情報のセットのそれぞれが、受信機形式、多入力多出力（ＭＩＭＯ）方式、及びドップラーシフトの量のうちの２つ以上に基づく、請求項１３に記載のコンピュータ読み取り可能な記録媒体。
【請求項１６】
前記記憶された複数の通信シナリオ情報のセットのそれぞれが、受信機形式、多入力多出力（ＭＩＭＯ）方式、及びドップラーシフトの量に基づき、
前記第１の通信シナリオ情報のセットを選択する処理が、前記ＵＥの受信機形式、前記基地局によって用いられているＭＩＭＯ方式、及び前記ＵＥによって経験されている前記ドップラーシフトの量を決定することを含む、請求項１３に記載のコンピュータ読み取り可能な記録媒体。
【請求項１７】
前記記憶された複数の通信シナリオ情報のセットのそれぞれが、スペクトル効率を前記チャネル品質インジケータにマッピングするための１つ以上のマッピングテーブルを含む、請求項１３に記載のコンピュータ読み取り可能な記録媒体。
【請求項１８】
前記記憶された複数の通信シナリオ情報のセットのそれぞれが、１）信号対雑音比をスペクトル効率にマッピングするための第１のマッピングテーブル、及び２）スペクトル効率を前記チャネル品質インジケータにマッピングするための第２のマッピングテーブルを少なくとも含む、請求項１３に記載のコンピュータ読み取り可能な記録媒体。
【発明の詳細な説明】
【技術分野】
【０００１】
本出願は無線デバイスに関し、より詳細には、無線デバイスによって経験されている現在の通信シナリオに基づいてチャネル品質インジケータ（Channel Quality Indicator、ＣＱＩ）を適応的に生成し、送信するシステム及び方法に関する。
【背景技術】
【０００２】
無線通信システムの利用が急速に広がっている。更に、無線通信技術は、音声のみの通信から、インターネット及びマルチメディアコンテンツ等の、データの伝送も含むまでに進化した。そのために、無線通信の改善が望まれている。
【０００３】
基地局（ＢＳ）と無線ユーザ機器（ＵＥ）との間の改善された通信を提供するために、ＵＥは、チャネル品質を示す種々のメトリクスを基地局へのフィードバックのために算出することができる。一般性を失うことなく、これらのメトリクスはチャネル品質インジケータ（ＣＱＩ）と呼ばれてもよい。基地局は、これらのチャネル品質インジケータを用いて、ＵＥとの改善された通信を提供するためにＵＥとの通信を調整することができる。例えば、これらのＣＱＩメトリクスはＢＳによって、それぞれのＵＥに割り当てられている符号レート及び変調方式を決定するために用いられてもよい。符号レート及び変調方式は、特定のＵＥに対するスループットを最大化するためだけでなく、スケジューリングを通じて基地局通信領域（例えば、セル）の全体的なスループットを改善するために選択されてもよい。それゆえ、チャネル品質インジケータの利用によって、基地局は、無線チャネルのステータスをもっと十分に活用して、様々な無線ユーザ機器（ＵＥ）との通信スループットを改善することが可能になる。
【０００４】
チャネル品質インジケータ（ＣＱＩ）は無線チャネルの通信品質を示すことができる。例えば、ＣＱＩは、所与のチャネルに関するチャネル品質の尺度を表す値（又は値群）であり得る。通常、高い値のＣＱＩは、高い品質を有するチャネルを示し、低い値のＣＱＩは、低い品質を有するチャネルを示す。ＵＥは、その受信されたダウンリンク（ＤＬ）信号に基づいてチャネルに関する種々のメトリクスを生成し、これらのメトリクスは、チャネルに関するチャネル品質インジケータを決定する際に用いられる。これらのメトリクスは、スペクトル効率の推定、データ層の数、多入力多出力（multiple input and multiple output、ＭＩＭＯ）アンテナシステムのシナリオ内のプリコーディング行列等を含んでもよい。チャネルに関するＣＱＩは、チャネルの信号対雑音比（signal-to-noise ratio、ＳＮＲ）、信号対干渉及び雑音比（signal-to-interference plus noise ratio、ＳＩＮＲ）、信号対雑音及び歪み比（signal-to-noise plus distortion ratio、ＳＮＤＲ）などの、チャネルの他の性能メトリクスに基づいて計算することができる。
【０００５】
所与のチャネルに関するＣＱＩは、通信システムによって用いられている伝送（変調）方式にも依存し得る。例えば、ＣＤＭＡ（code-division multiple access、符号分割多重接続）を用いる通信システムは、ＯＦＤＭ（orthogonal frequency division multiplexing、直交周波数分割多重）を利用する通信システムとは異なるＣＱＩを利用することができる。多入力多出力（ＭＩＭＯ）及び時空間符号化システムを利用するもの等の、より複雑な通信システムでは、用いられるＣＱＩは受信器形式にも依存し得る。ＣＱＩを生成する際に考慮されてもよいその他の因子は、ドップラーシフト、チャネル推定誤り、干渉などの、性能障害である。したがって、真のチャネル状況をより良く反映するために、基地局へフィードバックされるＣＱＩは、因子の中でもとりわけ、受信器アルゴリズム、ＤＬチャネル構成、ＭＩＭＯ構成、及びチャネルのドップラーシフトを含む、複数の因子を考慮に入れてよい。
【０００６】
ＵＥによるチャネル品質インジケータの生成は、通信チャネルの利用を最適化するために重要である。そのため、無線通信システムにおけるＣＱＩの生成の改善が望まれている。
【発明の概要】
【０００７】
本発明の実施形態は、ＵＥによって経験されている現在の通信シナリオに基づくチャネル品質インジケータ（ＣＱＩ）の適応的生成のためのシステム及び方法に関してよい。より具体的には、実施形態は、ＣＱＩ適応手順を利用することによって、改善されたチャネル品質インジケータ（ＣＱＩ）報告プロセスを提供する方法に関連してよい。
【０００８】
一実施形態では、ＵＥは、オフラインプロセスにおいて、例えば、設計時に、複数のＵＥ通信シナリオそれぞれのために、複数の通信シナリオ情報のセットを記憶するように構成されてよい。これは、複数の通信シナリオ情報のセットを決定するために、複数のＵＥ通信シナリオのそれぞれについてＣＱＩ適応方法を実行することを伴ってよい。ここで、それぞれの通信シナリオ情報のセットはＵＥ通信シナリオの１つに対応する。通信シナリオ情報のセットは、１）信号対雑音比をスペクトル効率にマッピングするための第１のマッピングテーブル（ＳＮＲ−ＳＥ）、２）スペクトル効率をチャネル品質インジケータにマッピングするための第２のマッピングテーブル（ＳＥ−ＣＱＩ）、及び／又は３）信号対雑音比をチャネル品質インジケータに直接マッピングするための第３のマッピングテーブル（ＳＮＲ−ＣＱＩ）等の、１つ以上のマッピングテーブルを含んでもよい。
【０００９】
次に、決定された通信シナリオ情報のセットはＵＥ内に記憶される。更に、ＵＥは、次に、ＵＥの現在の通信状況に基づくＣＱＩ生成において複数の通信シナリオ情報のセットのうちのいくつかを選択的に利用するように構成される。それゆえ、それぞれの通信シナリオ情報のセットは、それぞれの通信シナリオについてのチャネル品質インジケータを生成するために使用可能である。
【００１０】
それぞれの通信シナリオ情報のセットは、とりわけ、受信器形式、多入力多出力（ＭＩＭＯ）方式、及びドップラーシフトの量のうちの１つ以上の様々な組み合わせに基づいてもよい。
【００１１】
無線ユーザ機器（ＵＥ）の使用時、ＵＥは以下のように動作してもよい。ＵＥは、ＵＥの動作中にＵＥの現在の通信シナリオを決定してよい。例えば、ＵＥは、その受信器形式、基地局によって用いられているＭＩＭＯ方式、及び／又はドップラーシフトの量を決定してもよい。次に、ＵＥは、決定されたＵＥの現在の通信シナリオに基づいて第１の通信シナリオ情報のセットを選択してよい。第１の通信シナリオ情報のセットは、記憶された複数の通信シナリオ情報のセットから選択されてもよい。次に、ＵＥは、選択された第１の通信シナリオ情報のセットに基づいて少なくとも１つのチャネル品質インジケータを生成してよい。チャネル品質インジケータが生成されると、次に、ＵＥはチャネル品質インジケータを基地局へ伝送してよい。
【００１２】
添付の図面と併せて以下の実施形態の詳細な説明を考慮すれば、本発明のより良い理解を得ることができる。
【図面の簡単な説明】
【００１３】
【図１Ａ】例示的な（及び単純化された）無線通信システム示す。
【図１Ｂ】ユーザ機器１０６と通信する基地局１０２を示す。
【図２】一実施形態に係るＵＥ  １０６の例示的なブロック図を示す。
【図３】本発明の一実施形態に係る様々なあり得る通信シナリオのためのマッピングテーブルを生成するためのオフラインプロセスを示す。
【図４】本発明の一実施形態に係る現在の通信シナリオに基づいてチャネル品質インジケータを生成するためのオンラインプロセス示す。
【図５】本発明の一実施形態に係る様々な通信シナリオのために実行されてよいＣＱＩ適応方法を示す。
【図６】本発明の一実施形態に係る図５のＣＱＩ適応方法において用いられる変調及び符号化方式の例示的なテーブルを示す。
【図７】本発明の一実施形態に係る現在の通信シナリオに基づいて決定されたマッピングテーブルを用いるＣＱＩ算出のための例示的な方法を示す。
【図８】本発明の一実施形態に係るＣＱＩ値の例示的なテーブルを示す。
【００１４】
本発明は種々の変更及び代替形態を受けるが、その特定の実施形態が例として図面に示され、本明細書において詳細に説明される。しかし、図面及びそれらに対する詳細な説明は、本発明を、開示されている特定の形態に限定することを意図されているのではなく、逆に、その意図は、添付の請求項によって定義されているとおりの本発明の趣旨及び範囲内に入る全ての変更、均等物及び代替物を範囲に含むことであることを理解されたい。
【発明を実施するための形態】
【００１５】
略語
本仮特許出願においては、以下の略語が用いられている。
・ＢＬＥＲ：ブロック誤り率（Block Error Rate）（パケット誤り率と同じ）
・ＢＥＲ：ビット誤り率（Bit Error Rate）
・ＣＲＣ：巡回冗長検査（Cyclic Redundancy Check）
・ＤＬ：ダウンリンク（Downlink）
・ＰＥＲ：パケット誤り率（Packet Error Rate）
・ＳＩＮＲ：信号対干渉及び雑音比（Signal to Interference-and-Noise Ratio）
・ＳＩＲ：信号対干渉比（Signal to Interference Ratio）
・ＳＮＲ：信号対雑音比（Signal to Noise Ratio）
・Ｔｘ：伝送（Transmission）
・ＵＥ：ユーザ機器（User Equipment）
・ＵＬ：アップリンク（Uplink）
・ＵＭＴＳ：ユニバーサル移動通信システム（Universal Mobile Telecommunication System）
【００１６】
用語
以下は、本出願において用いられている用語集である。
【００１７】
メモリ媒体−様々な種類のメモリデバイス又は記憶デバイスの任意のもの。用語「メモリ媒体」は、インストール媒体、例えば、ＣＤ−ＲＯＭ、フロッピー（Ｒ）ディスク１０４、又はテープデバイス；ＤＲＡＭ、ＤＤＲ  ＲＡＭ、ＳＲＡＭ、ＥＤＯ  ＲＡＭ、ラムバスＲＡＭなどのコンピュータシステムメモリ又はランダムアクセスメモリ；フラッシュ、磁気媒体、例えば、ハードドライブ、又は光記憶装置、等の不揮発性メモリ；レジスタ、又はその他の同様の種類のメモリ要素等を含むことが意図されている。メモリ媒体は他の種類のメモリも、又はそれらの組み合わせも含んでもよい。加えて、メモリ媒体は、プログラムが実行される第１のコンピュータ内に配置されてもよく、又はインターネット等のネットワークを通じて第１のコンピュータに接続する第２の別のコンピュータ内に配置されてもよい。後者の例では、第２のコンピュータがプログラム命令を第１のコンピュータに実行用に提供してよい。用語「メモリ媒体」は、異なる場所、例えば、ネットワークを通じて接続された異なるコンピュータ内に存在してもよい２つ以上メモリ媒体を含んでもよい。
【００１８】
キャリア媒体−上述したようなメモリ媒体、並びにバス、ネットワーク等の物理的伝送媒体、及び／又は電気的信号、電磁気的信号、又はデジタル信号等の信号を伝達するその他の物理的伝送媒体。
【００１９】
プログラム可能ハードウェア要素−プログラム可能インターコネクトを介して接続される複数のプログラム可能機能ブロックを含む種々のハードウェアデバイスを含む。例としては、ＦＰＧＡ（Field Programmable Gate Array、フィールドプログラマブルゲートアレイ）、ＰＬＤ（Programmable Logic Device、プログラム可能論理デバイス）、ＦＰＯＡ（Field Programmable Object Array、フィールドプログラマブルオブジェクトアレイ）、及びＣＰＬＤ（Complex PLD、複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及んでよい。プログラム可能ハードウェア要素は「再構成可能論理」と呼ばれてもよい。
【００２０】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス、あるいはデバイスの組み合わせを含む、様々な種類のコンピューティング又は処理システムの任意のもの。一般的に、用語「コンピュータシステム」は、メモリ媒体からの命令を実行する少なくとも１つのプロセッサを有するあらゆるデバイス（又はデバイスの組み合わせ）を包含するように広義に定義することができる。
【００２１】
ユーザ機器（ＵＥ）（又は「ＵＥデバイス」）−移動式又は携帯式であり、無線通信を実行する様々な種類のコンピュータシステムデバイスの任意のもの。ＵＥデバイスの例としては、モバイル電話又はスマートフォン（例えば、ｉＰｈｏｎｅ（商標）、Ａｎｄｒｏｉｄ（商標）ベースの電話）、携帯ゲームデバイス（例えば、ニンテンドーＤＳ（商標）、プレイステーションポータブル（商標）、ゲームボーイアドバンス（商標）、ｉＰｈｏｎｅ（商標））、ラップトップ、ＰＤＡ、携帯インターネットデバイス、音楽プレーヤ、データ記憶デバイス、又はその他のハンドヘルドデバイス等が挙げられる。一般的に、用語「ＵＥ」又は「ＵＥデバイス」は、ユーザによって容易に持ち運びされ、無線通信の能力を有するあらゆる電子、コンピューティング、及び／又は通信デバイス（又はデバイスの組み合わせ）を包含するように広義に定義することができる。
【００２２】
自動的に−アクション又は動作を直接指定又は実行するユーザ入力を用いることなく、コンピュータシステム（例えば、コンピュータシステムによって実行されるソフトウェア）又はデバイス（例えば、電気回路、プログラム可能ハードウェア要素、ＡＳＩＣ等）によって実行されるアクション又は動作に言及する。それゆえ、用語「自動的に」は、動作を直接実行するためにユーザが入力を提供する、ユーザによって手作業で実行又は指定される操作とは対照的である。自動手順は、ユーザによって提供される入力によって開始されてもよいが、「自動的に」実行される後続のアクションはユーザによって指定されない、すなわち、実行するべきそれぞれのアクションをユーザが指定する、「手作業」では実行されない。例えば、ユーザが、それぞれのフィールドを選択し、（例えば、情報を打ち込むこと、チェックボックス、ラジオ選択を選択すること等によって）情報を指定する入力を提供することによって電子フォームに記入することは、たとえ、コンピュータシステムはユーザアクションに応答してフォームを更新しなければならないとはいえ、手作業でフォームに記入することである。コンピュータシステム（例えば、コンピュータシステム上で実行するソフトウェア）がフォームのフィールドを分析し、フィールドへの答えを指定するユーザ入力を全く用いずにフォームに書き込む場合、フォームはコンピュータシステムによって自動的に記入され得る。上述のように、ユーザはフォームの自動記入を呼び出してもよいが、フォームの実際の記入には関わらない（例えば、ユーザはフィールドへの答えを手作業で指定せず、代わりにそれらは自動的に埋められる）。本明細書は、ユーザが取ったアクションに応答して動作が自動的に実行される種々の例を提供する。
図１Ａ及び図１Ｂ−通信システム
【００２３】
図１Ａは、例示的な（かつ単純化された）無線通信システムを示す。図１Ａのシステムはあり得るシステムの単なる一例にすぎず、本発明の実施形態は所望に応じて種々のシステムの任意のものにおいて実行されてよいことに留意されたい。
【００２４】
図示のとおり、例示的な無線通信システムは、伝送媒体を通じて１つ以上のユーザ機器（ＵＥ）（又は「ＵＥデバイス」）１０６Ａ〜１０６Ｎと通信する基地局１０２を含む。
【００２５】
基地局１０２は無線基地局装置（base transceiver station、ＢＴＳ）又はセルサイトであってよく、ＵＥ  １０６Ａ〜１０６Ｎとの無線通信を可能にするハードウェアを含んでよい。基地局１０２はネットワーク１００と通信する能力を備えていてもよい。それゆえ、基地局１０２は、ＵＥ同士の間及び／又はＵＥとネットワーク１００との間の通信を支援してよい。基地局の通信領域（又はカバレッジ領域）は「セル」と呼ばれてもよい。基地局１０２及びＵＥは、ＧＳＭ、ＣＤＭＡ、ＷＬＬ、ＷＡＮ、ＷｉＦｉ、ＷｉＭＡＸなどの種々の無線通信技術の任意のものを用いる伝送媒体を通じて通信するように構成されてよい。
【００２６】
図１Ｂは、基地局１０２と通信するＵＥ  １０６（例えば、デバイス１０６Ａ〜１０６Ｎのうちの１つ）を示す。ＵＥ  １０６は、モバイル電話、ハンドヘルドデバイス、コンピュータ又はタブレット等の無線ネットワーク接続性を有するデバイス、あるいは実質上あらゆる種類の無線デバイスであってよい。ＵＥ  １０６は、メモリ内に記憶されたプログラム命令を実行するように構成されたプロセッサを含んでもよい。ＵＥは、このような記憶された命令を実行することによって本明細書に記載されている実施形態のうちの任意のものを実行してもよい。実施形態によっては、ＵＥは、本明細書に記載されている方法実施形態のうちの任意のもの、又は本明細書に記載されている方法実施形態のうちの任意のものの任意の部分を実行するように構成されたＦＰＧＡ（フィールドプログラマブルゲートアレイ）等のプログラム可能ハードウェア要素を含んでもよい。
【００２７】
実施形態によっては、ＵＥ  １０６は、基地局１０２に返される１つ以上のチャネル品質インジケータ（ＣＱＩ）を生成するように構成されてよい。基地局１０２は、１つ以上の基地局から受信されたこれらのＣＱＩを用いて、それぞれのＵＥ  １０６、又は場合によっては他のＵＥ  １０６との通信を調整することができる。例えば、一実施形態では、基地局１０２は、複数のＵＥ  １０６からＣＱＩを受信及び利用して、そのカバレッジ領域（又はセル）内の種々のＵＥの間の通信スケジューリングを調整することができる。
【００２８】
ユーザ機器（ＵＥ）１０６は、基地局（ＢＳ）へフィードバックされるＣＱＩを決定するために、本明細書に記載されているＣＱＩ生成方法を用いてよい。一実施形態では、ＣＱＩの生成は、ＵＥによって経験されている現在の通信シナリオに基づいて実行される。以下において説明されるように、オフラインプロセスの間に、様々なあり得る通信シナリオに対する情報（例えば、マッピングテーブル）が生成されてもよく、この情報はＵＥ内に記憶されてもよい。後に、ＵＥが実際に使用中（オンライン）の時に、ＵＥは、経験している現在の通信シナリオを決定し、事前記憶された情報（例えば、マッピングテーブル）を、チャネル品質インジケータ（ＣＱＩ）の生成に用いるために選択してもよい。
図２−ＵＥの例示的なブロック図
【００２９】
図２はＵＥ  １０６の例示的なブロック図を示す。図示のとおり、ＵＥ  １０６は、種々の目的のための部分を含んでもよい、システムオンチップ（ＳＯＣ）２００を含んでもよい。例えば、図示のとおり、ＳＯＣ  ２００は、ＵＥ  １０６のためのプログラム命令を実行し得るプロセッサ（単数又は複数）２０２、及びグラフィック処理を実行し、ディスプレイ２４０に表示信号を提供し得る表示回路２０４を含んでよい。プロセッサ（単数又は複数）２０２は、メモリ管理ユニット（ＭＭＵ）２４０、並びに／又は、表示回路２０４、無線２３０、コネクタＩ／Ｆ  ２２０、及び／若しくはディスプレイ２４０等の、その他の回路又はデバイスに連結されてもよく、ＭＭＵ  ２４０は、プロセッサ（単数又は複数）２０２からアドレスを受信し、それらのアドレスを、メモリ（例えば、メモリ２０６、リードオンリーメモリ（ＲＯＭ）２５０、ＮＡＮＤフラッシュメモリ２１０）内の場所に変換するように構成されてよい。ＭＭＵ  ２４０は、メモリ保護並びにページテーブル変換若しくはセットアップを実行するように構成されてよい。実施形態によっては、ＭＭＵ  ２４０はプロセッサ（単数又は複数）２０２の一部として含まれてもよい。
【００３０】
図示の実施形態では、ＲＯＭ  ２５０は、起動又は初期化時にプロセッサ（単数又は複数）２０２によって実行され得るブートローダ２５２を含んでもよい。同様に図示されているとおり、ＳＯＣ  ２００はＵＥ  １０６の種々の他の回路に結合されてもよい。例えば、ＵＥ  １０６は、（例えば、ＮＡＮＤフラッシュ２１０を含む）様々な種類のメモリ、（例えば、コンピュータシステムに結合するための）コネクタインタフェース２２０、ディスプレイ２４０、及び無線通信を実行するためにアンテナ２３５を用い得る（例えば、ＧＳＭ、Ｂｌｕｅｔｏｏｔｈ、ＷｉＦｉ等のための）無線通信回路を含んでもよい。本明細書に記載されているように、ＵＥ  １０６は、ＣＱＩ値を生成し、及び／又はこれを基地局に提供するためのハードウェア及びソフトウェア構成要素を含んでもよい。
図３−様々な通信シナリオのためのマッピングテーブルのオフライン生成
【００３１】
図３は、本発明の一実施形態に係る様々なあり得る通信シナリオのためのマッピングテーブルを生成するためのオフラインプロセスを示す。図３に示される方法は、デバイスの中でもとりわけ、上記の図に示されているコンピュータシステム又はデバイスの任意のものと共に用いることができる。種々の実施形態において、図示の方法要素の一部は、同時に実行されてもよく、図示のものとは異なる順序で実行されてもよく、又は省略されてもよい。所望に応じて追加の方法要素が実行されてもよい。図示のとおり、この方法は以下のように動作できる。
【００３２】
図示のとおり、３０２において、複数の様々な通信シナリオについてＣＱＩ適応手順が実行され、それぞれの通信シナリオ（本明細書においては「シナリオ」と呼ばれる）のためのシナリオ情報を生成してよい。シナリオ情報は、そのシナリオに関するＣＱＩ（単数又は複数）を生成するために用いられるいかなる情報であってもよい。一実施形態では、シナリオ情報は１つ以上のマッピングテーブルを含んでもよい。通信シナリオ情報のセットは、１）信号対雑音比をスペクトル効率に（ＳＮＲ−ＳＥ）マッピングするための第１のマッピングテーブル、２）スペクトル効率をチャネル品質インジケータに（ＳＥ−ＣＱＩ）マッピングするための第２のマッピングテーブル、及び／又は３）信号対雑音比をチャネル品質インジケータに（ＳＮＲ−ＣＱＩ）直接マッピングするための第３のマッピングテーブル等の、１つ以上のマッピングテーブルを含んでもよい。
【００３３】
それぞれの通信シナリオ情報のセットは、とりわけ、受信器形式、多入力多出力（ＭＩＭＯ）方式、ドップラーシフトの量、ダウンリンク（ＤＬ）チャネルの組み合わせ、及び無線ステータスのうちの１つ以上の異なる組み合わせに基づいてよい。実施形態によっては、シナリオ情報は、上述の因子の種々の組み合わせ又は全てに基づいてもよい。
【００３４】
種々の受信器形式又はアルゴリズムは、線形最小平均２乗誤差（Linear Minimum Mean Square Error、ＬＭＭＳＥ）、最大尤度法（Maximum Likelihood Method、ＭＬＭ）、及びシリアル干渉キャンセルを用いる線形最小平均２乗誤差（Linear Minimum Mean Square Error with Serial Interference Cancellation、ＬＭＭＳＥ−ＳＩＣ）等を含んでもよい。
【００３５】
加えて、シナリオは様々なＭＩＭＯ方式又はＤＬチャネル構成に対応してもよい。したがって、様々なＭＩＭＯ方式、及びその内部の、大遅延ＣＤＤ（巡回遅延ダイバーシティ）、チャネル容量を活用するための閉ループプリコーディング行列、チャネルダイバーシティを活用するための空間周波数ブロック符号化又は空間時間ブロック符号化（ＳＦＢＣ又はＳＴＢＣ）などのプリコーディング行列に対して、ＣＱＩを決定するためのシナリオ情報が生成されてもよい。
【００３６】
更に、シナリオは異なるドップラーシフトを考慮してもよい。ドップラーシフトは無線チャネルの時間領域フェージングの特性を決定し得ることに留意されたい。それゆえ、シナリオ情報は、受信器性能に対するドップラーシフトの影響を取り入れ、これらの影響をマッピングテーブル（単数又は複数）内に組み入れてもよい。追加のシナリオは、特に、無線チャネルステータスを取り入れてもよい。
【００３７】
様々なＭＩＭＯ及びＤＬチャネル構成等の通信シナリオの一部では、閉形式解析結果を得ることができることに留意されたい。受信器アルゴリズム及びチャネルドップラー効果に対するもの等の他のシナリオでは、閉形式推定は利用可能でない場合がある。それゆえ、いくつかの実施形態において、ＵＥは、本明細書に記載されているＣＱＩ適応プロセスを実行することにより、経験的データ又はキャリブレーションプロセスに基づいて適切なＣＱＩ推定又は調整を決定することができる。
【００３８】
以下に、図５に関して、３０２についての例示的な詳細が提供されている。
【００３９】
３０４において、シナリオ情報（例えば、マッピングテーブル）は１つ以上のＵＥ内に記憶されてよい。より具体的には、それぞれのＵＥに適用されるそれぞれのシナリオのためのシナリオ情報は、それぞれのＵＥのメモリ内、例えば、ＲＯＭ  ２５０、フラッシュメモリ２１０内に記憶されるか、又はメモリ２０６にコピーされてよい。一実施形態では、適用可能なシナリオは、３０２において用いられるシナリオの全てであってよい。換言すれば、この実施形態では、３０２において生成されるシナリオ情報の全てがそれぞれのＵＥ内に記憶されてよい。代替的に、どのシナリオがＵＥに適用されるのかに応じて、シナリオ情報のセットのサブセットのみがそれぞれのＵＥ内に記憶されてもよい。例えば、ＵＥが特定のシナリオをサポートしていない場合には（例えば、そのＵＥが、特定のシナリオをサポートするための適切なハードウェアを有していない場合には）、対応するシナリオ情報はＵＥのメモリ内に記憶されなくてもよい。
【００４０】
図３は（例えば、設計中、又はＵＥの製造前に実行される）オフラインプロセスとして説明されているが、このプロセスは、例えば、以前のシナリオ情報のうちの１つ以上を現在の状況に更新するために、代替的に又は追加的にオンラインの方法で実行されることが可能であることに留意されたい。例えば、特定のシナリオが特定された場合、現在のシナリオに対応するシナリオ情報は、上述の３０２によって生成されたもの等の、最適化された、又は集合的なシナリオ情報の代わりに、特定の現在の状況を反映するために更新されてもよい。それゆえ、所望の場合には、図３の方法は同様のオンラインプロセスを加えて拡大するか、又は同様のオンラインプロセスに置き換えてしまってもよい。
【００４１】
３０４のシナリオ情報は、以下において図４に関して説明されるように、ＣＱＩ（単数又は複数）を決定するためのオンラインプロセスにおいて用いられてもよい。
図４−ＵＥの使用中におけるＣＱＩの生成
【００４２】
図４は、本発明の一実施形態に係る現在の通信シナリオに基づいてチャネル品質インジケータを生成するためのオンラインプロセスを示す。図４に示される方法は、デバイスの中でもとりわけ、上記の図に示されているコンピュータシステム又はデバイスの任意のものと共に使用されてよい。種々の実施形態において、図示の方法要素の一部は、同時に実行されてもよく、図示のものとは異なる順序で実行されてもよく、又は省略されてもよい。所望に応じて追加の方法要素が実行されてもよい。図示のとおり、この方法は以下のように動作してよい。
【００４３】
図示のとおり、４０２において、現在のシナリオが、例えばＵＥによって、決定されてよい。例えば、現在のシナリオを決定することは、可能性の中でもとりわけ、現在の受信器形式、ＭＩＭＯ方式、及び／又はドップラーシフトを判定することを伴ってよい。情報は、所望に応じて、測定を実行することによって、あるいは（例えば、ローカルメモリ内に記憶されているか又はＢＳ等の別のソースから受信される）現在の状態データにアクセスすることによって決定されてもよい。例えば、現在のＭＩＭＯ方式はＵＥのメモリ又はレジスタ内に記憶されていてもよい。
【００４４】
４０４において、現在のシナリオに基づき、ＵＥ  １０６のメモリから通信シナリオ情報が選択されてよい。より具体的には、現在のＣＱＩ（単数又は複数）を生成するために、現在のシナリオに対応するシナリオ情報が選択されてよい。一実施形態では、上述のように、シナリオ情報は、あり得るパラメータの中でもとりわけ、現在の受信器形式に対応するマッピングテーブル（単数又は複数）、ＭＩＭＯ方式、及び／又はドップラーシフトを含んでよい。シナリオ情報は、ＵＥ  １０６によって経験されている現在のシナリオに対するＣＱＩを決定するために用いられてよい。
【００４５】
その結果、４０６において、４０４の選択された通信シナリオ情報を用いて１つ以上のＣＱＩが生成されてよい。ＣＱＩは、現在の品質情報並びに選択された通信シナリオ情報に基づいて生成されてよい。ＣＱＩを生成する際に用いられる品質情報は、信号対雑音比（ＳＮＲ）、スペクトル効率（ＳＥ）、又はその他の品質尺度等の、種々の尺度のうちの任意のものであってよい。例えば、現在の品質情報に基づき、現在のシナリオに対応する１つ以上のマッピングテーブルを用いて、基地局へ提供するための１つ以上のＣＱＩ値を決定してよい。以下においてより詳細に説明される図７は、この方法に対応する例示的な詳細を提供する。
【００４６】
最後に、４０８において、生成されたＣＱＩ（単数又は複数）が基地局に提供されてよい。基地局は、提供されたＣＱＩ（単数又は複数）によって示すチャネルの現在の品質に基づき、ＵＥと効果的な方法で通信するためにこの情報を用いてよい。
図５−様々な通信シナリオのためのシナリオ情報の生成
【００４７】
図５は、本発明の一実施形態に係る様々な通信シナリオのためのシナリオ情報の生成方法を示す。図５に示されるプロセスは、様々な通信シナリオに対して図３の３０２において実行されてもよい方法の一例である。この特定の実施形態では、シナリオ情報はマッピングテーブルとして生成される。ただし、その他の実施形態も想定されている。一実施形態では、図５の方法は望ましくはＵＥの設計中にオフラインで実行され、後にＵＥ  １０６の動作中に利用するためにＵＥ上に事前記憶される情報（例えば、マッピングテーブル）を生成する。
【００４８】
この例示的な図では、ＣＱＩ適応手順は、後にＵＥの動作中に利用するために適当なＳＮＲ−ＳＥ及びＳＥ−ＣＱＩマッピングテーブルを生成するために実行されてよい。通信シナリオによって異なるマッピングテーブルを利用することによって、ＵＥ  １０６は、ＣＱＩ報告に対してエンドツーエンド受信器性能を考慮に入れ、各ＣＱＩに対してＢＬＥＲ目標を満たすことが可能になる。
【００４９】
上述の方法と同様に、図５に示される方法は、デバイスの中でもとりわけ、上記の図に示されているコンピュータシステム又はデバイスの任意のものと共に用いることができる。種々の実施形態において、図示の方法要素の一部は、同時に実行されてもよく、図示のものとは異なる順序で実行されてもよく、又は省略されてもよい。所望に応じて追加の方法要素が実行されてもよい。ＣＱＩ適応方法は以下のように動作してよい。
【００５０】
５０２において、本方法はＣＱＩ適応のための初期ＳＮＲ及び初期ＭＣＳを設定してよい。これらの値はＵＥによって設定されてもよく、及び／又は別のデバイス（例えば、試験機器）によって設定され、ＵＥ受信器に提供されてもよい。初期ＳＮＲは、最初は低いレベルに設定されてよく、以下において説明されるように、マッピングテーブル（単数又は複数）を生成するために徐々に増加されてよい。同様に、ＭＣＳは基底レベルに設定されてよく、マッピングテーブル（単数又は複数）を生成するために徐々に増加されてよい。
【００５１】
図６は、図４の方法において用いられてよい方式の漸増するセットを示す例示的なＭＣＳテーブルを示す。ただし、その他のＭＣＳ値及び方式も想定されている。図示のとおり、ＭＣＳテーブルは、インデックス列、変調次数列、及び総ブロックサイズインデックス列を含む。
【００５２】
加えて、５０２において、現在の固定ＳＮＲ及び初期ＭＣＳの場合について、本方法（例えば、ＵＥ受信器）は、選択された受信器アルゴリズム（例えば、ＬＭＭＳＥ、ＭＬＭ等）を用いてＤＬ復調を実行してよい。
【００５３】
５０４において、ＰＤＳＣＨ復号が実行されてよい。加えて、復号の後、トランスポートブロックが正しく復号されているか否かを調べるために、ＣＲＣが検査されてよい。
【００５４】
５１０において、本方法は、ＢＬＥＲ目標又は閾値（「ＴＨＲＥＳＨ」として図示）が達成されているか否かを判定するために、ＰＤＳＣＨ復号のＢＬＥＲレベルを測定する。実施形態によっては、ＢＬＥＲ目標の例示的な値は１０％である。ただし、無論、その他の値を用いることもできる。高いドップラーシフトを有するなど、高速に変化する無線チャネルのシナリオでは、ＢＬＥＲ目標閾値は、起こり得るもの中でも特に、３０％もの大きさになり得る。
【００５５】
ＢＬＥＲがＢＬＥＲ目標以下であると判定された場合には、５１４においてＭＣＳが１だけ増加されてよく、本方法は、新しいＭＣＳ値を用いて５０２から繰り返されてよい。
【００５６】
測定されたＢＬＥＲがＢＬＥＲ目標よりも大きい場合には、このとき、本方法は５１２へ進んでよい。
【００５７】
５１２において、本方法は、マッピングテーブルにおけるＭＣＳ−１に対応するＣＱＩを得てよい。加えて、５０６及び５０８において、本方法は、所与のＳＮＲに対するＭＣＳ−１に対応するスペクトル効率を算出してよい。次に、本方法は、５２２において、決定されたＣＱＩ及びＳＥを用いてＣＱＩ−ＳＥマッピングテーブルを生成する（例えば、そこに加える）。
【００５８】
最後に、ＳＮＲが増加されてよく、本方法は、ＣＱＩ−ＳＥマッピングテーブルが完成するまで、新しいＳＮＲ値に対して繰り返されてよい。
図７−例示的なＣＱＩ算出
【００５９】
図７は、本発明の一実施形態に係るチャネル品質インジケータの生成方法の実施形態を示す。図７の方法は、ＵＥ  １０６によって経験されている現在の通信シナリオに基づくＣＱＩを生成してよい。より具体的には、図７の方法は、現在のシナリオ（及びそれに応じてマッピングテーブル等の適切なシナリオ情報）が選択されると、用いることができる。それゆえ、図７の方法は、任意の数の様々な通信シナリオのために用いられてよい。一実施形態では、図７に示されるプロセスは、図４の４０６において実行されてもよい方法の一例である。図７の方法は好ましくは、オンラインで、すなわち、ＵＥの使用中又は動作中に実行されてよい。
【００６０】
更に、図７に示される方法は、デバイスの中でもとりわけ、上記の図に示されているコンピュータシステム又はデバイスの任意のものと共に用いることができる。種々の実施形態において、図示の方法要素の一部は、同時に実行されてもよく、図示のものとは異なる順序で実行されてもよく、又は省略されてもよい。所望に応じて追加の方法要素が実行されてもよい。
【００６１】
図示のとおり、図７の方法は以下のように動作してよい。
【００６２】
７０２において、ＭＩＭＯチャネル推定及び／又は雑音推定が実行されてよい。一実施形態では、チャネル推定は、ＣＱＩ算出のための白色チャネル推定行列を生成するために用いられてよい。
【００６３】
７０４において、ＰＭＩ／ＲＩ仮説による実効的なＳＮＲ推定が決定されてよい。一実施形態では、ＳＮＲ推定は白色チャネル推定及び受信器アルゴリズム（例えば、可能性の中でもとりわけ、ＬＭＭＳＥ、ＭＬＭ、ＬＭＭＳＥ−ＳＩＣ）に基づいてよい。
【００６４】
７０６において、例えば、ＳＮＲからＳＥへのマッピングテーブルを用いて、ＳＮＲからＳＥへのマッピングが実行されてよい。上述のように、ＳＮＲ−ＳＥマッピングテーブルは、図３及び５において説明されている適応的ＣＱＩ方法によって生成されてよい。ＳＮＲ−ＳＥマッピングテーブルは、上述されたように、現在の通信シナリオに基づいて選択されてよい。ＳＮＲからＳＥへのマッピングは、チャネル容量、並びに実際の受信器に起因するあり得る損失を考慮してもよい。ＳＥ推定は、少数のリソースブロック（例えば、２つのＲＢ）に関して、より細かい粒度で行うことができることに留意されたい。一実施形態では、ＳＥは、例えば、広帯域にわたる平均化、時間的にフィルタリング等を伴い、更に処理されてもよい。
【００６５】
７０８において、最適のＰＭＩ／ＲＩ（precoding matrix index/rank index、プリコーディング行列インデックス／ランクインデックス）選択を用いた推定が実行されてよい。ＰＭＩ／ＲＩはＭＩＭＯ伝送に関連してよく、ＭＩＭＯシナリオにおける伝送レイヤ数を示してよい。一実施形態では、ＵＥは、そのチャネル推定を用いて最善のＰＭＩ  ＆  ＲＩを決定し、それをｅＮＢ側で適用するためにｅＮＢへフィードバックすることができる。概して、これらの値はＣＱＩと共に算出されてよく、概念上、それらは全てチャネル品質フィードバックの一部である。ＬＴＥの文脈においては、チャネル品質フィードバックはＣＱＩ、ＰＭＩ及びＲＩを別個に報告してもよい。
【００６６】
７１０において、ＣＱＩを決定するために、例えば、ＳＥ−ＣＱＩマッピングテーブルを用いて、ＳＥからＣＱＩへのマッピングが実行されてよい。上述のように、ＳＥ−ＣＱＩマッピングテーブルは、図３及び５において説明されている適応的ＣＱＩ方法によって生成されてよい。ＳＥ−ＣＱＩマッピングテーブルは、上述したように、現在の通信シナリオに基づいて選択されてよい。次に、ＣＱＩ及び／又はＲＩ／ＰＭＩ値が報告されてよい。ＣＱＩは種々のチャネル品質フィードバックインジケーションのうちのいずれを含んでもよいことに留意されたい。例えば、用語「ＣＱＩ」は、ｅＮＢが適当な符号レート（ＭＣＳ）を選択するためのＲＩ／ＰＭＩ値、並びにチャネル品質を通常含んでよい。それゆえ、ＣＱＩに関する以上の説明は、ＲＩ／ＰＭＩ値を含む、１つ以上の値を含んでもよい。この特定の例では、チャネル品質、ＲＩ、及びＰＭＩ値が提供される。
【００６７】
図８は、例えば、ＬＴＥの実施形態に従う、ＣＱＩマッピングテーブルの例示的な実施形態を提供する。
利点
【００６８】
上述のＣＱＩ適応の例示的な利点は、特に、閉形式解析結果を有しないシナリオ又はアルゴリズムのために、解析結果から得ることができないＣＱＩ推定損失を取り込む能力を含む。例えば、ビットストリームを分離するために、ＭＬＭ手法、あるいはＭａｘ−Ｌｏｇ−ＭＡＰ単純化又はＱＲ分解等の単純化されたＭＬＭ手法を用いると、達成し得る実効的ＳＮＲ又は復号性能の正確な推定を得ることは難しい。ＣＱＩ適応手順を実行することにより、ＭＬＭ受信性能をキャリブレーションし、それをＣＱＩ−ＳＥマッピングテーブル又はＳＮＲ−ＳＥマッピングテーブル等のＣＱＩ算出のためのマッピングテーブル内に反映することができる。
ＬＴＥ  ＣＱＩの基本
【００６９】
上述されたように、本明細書に記載されている実施形態はＬＴＥ通信システムの例示的な文脈におけるものである。以下に、１つの例示的なＬＴＥ実施形態のためのより具体的な実施詳細を提供する。
【００７０】
ＬＴＥでは、チャネル品質インジケータ（ＣＱＩ）は以下のように定義されてよい。時間及び周波数における無制限の観測間隔に基づき、ＵＥは、アップリンクサブフレームｎにおいて報告されるＣＱＩ値毎に、図８のテーブル内の１〜１５の間で、以下の条件を満足する最も高いＣＱＩインデックスを導き出すか、又はＣＱＩインデックス１が条件を満足しない場合には、ＣＱＩインデックス０を導き出す：ＣＱＩインデックスに対応する変調方式及びトランスポートブロックサイズの組み合わせを有し、ＣＱＩ参照リソースと呼ばれるダウンリンク物理リソースブロックのグループを占有する、単一の物理ダウンリンク共有チャネル（Physical Downlink Shared Channel、ＰＤＳＣＨ）トランスポートブロックを、０．１を超えないトランスポートブロック誤り確率で受信することができた。
【００７１】
ＬＴＥでは、変調及び符号化方式（modulation and coding scheme、ＭＣＳ）は、ＤＬ物理ダウンリンク共有チャネル（ＰＤＳＣＨ）のために図６のテーブルにあるように様々なレベルの符号化速度及び変調次数を許すように定義される。トランスポートブロックサイズ（ＴＢＳ）インデックスは、図８のテーブルにおいて定義されるトランスポートブロックサイズテーブル内で用いられる。
【００７２】
ＬＴＥのためのＣＱＩ定義の説明に基づき、一実施形態では、図８のテーブルにおいて規定されているＤＬ構成を前提として、あらゆるＣＱＩについてＵＥが１０％のブロック誤り率（ＢＬＥＲ）目標を達成することが望ましい。同様に、ＢＳにおけるスケジューリングアルゴリズムは、スループットを改善するために、この例示的なＵＥ要件に従って設計することができる。ＬＴＥ仕様において提案されていることは、受信器スループットを最適化するためにＣＱＩを報告してこれを用いる１つの方法であって、この方法は、ＢＳにおける最適化を簡単にすることができるようＵＥに対して固定されたＢＬＥＲ目標を設定することに留意されたい。しかし、性能を更に改善するために、ＵＥチャネル状況及びネットワークシナリオに基づく適応的ＢＬＥＲ目標を用いることができる。本実施形態は、ＣＱＩのための固定されたＢＬＥＲ目標を改善することを対象とすることに留意されたい。しかし、本明細書に記載されている方法は、ＣＱＩのための種々のＢＬＥＲ目標について用いることができる。
更なる実施形態
【００７３】
本明細書では、ＬＴＥ（Long-term evolution of UTMS）の文脈で種々の実施形態が説明されていることに留意されたい。しかし、本明細書に記載されている方法は、その他の無線技術を用いるＣＱＩ報告のために一般化することができ、以上に提供されている特定の説明に限定されないことに留意されたい。
【００７４】
本発明の実施形態は種々の形態の任意のもので実現されてよい。例えば、実施形態によっては、本発明は、コンピュータ実施方法、コンピュータ可読メモリ媒体、又はコンピュータシステムとして実現されてもよい。他の実施形態では、本発明は、ＡＳＩＣ等の１つ以上の特注設計のハードウェアデバイスを用いて実現されてもよい。他の実施形態では、本発明は、ＦＰＧＡ等の１つ以上のプログラム可能ハードウェア要素を用いて実現されてもよい。
【００７５】
実施形態によっては、永続的コンピュータ可読メモリ媒体が、プログラム命令及び／又はデータを記憶するように構成されてもよい。ここで、プログラム命令は、コンピュータシステムによって実行されると、コンピュータシステムに、方法、例えば、本明細書に記載されている方法実施形態のうちの任意のもの、又は本明細書に記載されている方法実施形態の任意の組み合わせ、又は本明細書に記載されている方法実施形態のうちの任意のものの任意のサブセット、又はこのようなサブセットの任意の組み合わせを実行させる。
【００７６】
実施形態によっては、デバイス（例えば、ＵＥ）は、プロセッサ（又はプロセッサのセット）並びにメモリ媒体を含むように構成されてもよい。ここで、メモリ媒体はプログラム命令を記憶し、プロセッサは、メモリ媒体からプログラム命令を読み込み、実行するように構成される。プログラム命令は、本明細書に記載されている種々の方法実施形態の任意のもの（又は、本明細書に記載されている方法実施形態の任意の組み合わせ、又は、本明細書に記載されている方法実施形態のいずれかの任意のサブセット、又はこのようなサブセットの任意の組み合わせ）を実施するために実行可能である。デバイスは種々の形態の任意のもので実現されてよい。
【００７７】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１Ａ】
0006283071.tif 000002
【図１Ｂ】
0006283071.tif 000003
【図２】
0006283071.tif 000004
【図３】
0006283071.tif 000005
【図４】
0006283071.tif 000006
【図５】
0006283071.tif 000007
【図６】
0006283071.tif 000008
【図７】
0006283071.tif 000009
【図８】
0006283071.tif 000010